【手続補正書】
【提出日】平成27年5月11日(2015.5.11)
【手続補正１】
【補正対象書類名】特許請求の範囲
【補正対象項目名】全文
【補正方法】変更
【補正の内容】
【特許請求の範囲】
【請求項１】
被写体を透過した放射線の線量に応じて電荷を発生させる複数の放射線検出素子を有する画像検出手段と、前記画像検出手段によって検出された放射線画像を処理する画像処理手段と、を備える放射線撮像装置であって、
前記画像処理手段は、
放射線の非照射期間において前記画像検出手段によって連続して取得される複数の無曝射画像に基づいて、前記複数の無曝射画像を取得した後の任意のタイミングで取得される放射線画像に対する補正用画像を生成する補正用画像生成手段と、
前記補正用画像を用いて前記放射線画像を補正する補正手段と、を有し、
前記補正用画像生成手段は、
前記複数の無曝射画像における各放射線検出素子ごとの信号強度の時間変化に対して非線形近似を行い、該非線形近似により得られた近似式の決定係数に応じて、補正用画像の生成方法を切り替えることを特徴とする放射線撮像装置。
【請求項２】
前記補正用画像の生成に用いる無曝射画像は、少なくとも３枚以上であることを特徴とする請求項１に記載の放射線撮像装置。
【請求項３】
前記補正用画像生成手段は、前記決定係数が閾値以上である場合には、前記近似式を用いて前記補正用画像を生成し、該閾値より小さい場合は、前記放射線画像を取得する直前の無曝射画像を用いて前記補正用画像を生成することを特徴とする請求項１または２に記載の放射線撮像装置。
【請求項４】
前記補正用画像生成手段は、前記複数の無曝射画像の取得時の蓄積時間と前記放射線画像の取得時の蓄積時間とが異なり、かつ前記近似式の決定係数が閾値以上である場合、前記放射線画像の蓄積時間に応じて前記近似式を積分することにより、前記補正用画像を生成することを特徴とする請求項３に記載の放射線撮像装置。
【請求項５】
前記補正用画像生成手段は、前記複数の無曝射画像の取得時の蓄積時間と前記放射線画像の取得時の蓄積時間とが異なり、かつ前記近似式の決定係数が閾値より小さい場合、前記放射線画像を取得する直前の無曝射画像に対して、蓄積時間の比を掛けることにより、前記補正用画像を生成することを特徴とする請求項３に記載の放射線撮像装置。
【請求項６】
前記決定係数の閾値は０．６以上であることを特徴とする請求項３乃至５のいずれか１項に記載の放射線撮像装置。
【請求項７】
前記非線形近似は対数関数近似であることを特徴とする請求項１乃至６のいずれか１項に記載の放射線撮像装置。
【請求項８】
前記非線形近似は前記複数の放射線検出素子すべてに対して行うことを特徴とする請求項１乃至７のいずれか１項に記載の放射線撮像装置。
【請求項９】
直前の無曝射画像の取得から、一定時間以内に放射線画像の撮影が行われない場合には、再び無曝射画像を取得し、前記非線形近似をやり直して、前記近似式および前記決定係数を更新することを特徴とする請求項１乃至８のいずれか１項に記載の放射線撮像装置。
【請求項１０】
前記決定係数に応じて、前記無曝射画像の取得間隔を変化させることを特徴とする請求項１乃至９のいずれか１項に記載の放射線撮像装置。
【請求項１１】
被写体を透過した放射線の線量に応じて電荷を発生させる複数の放射線検出素子を有する画像検出手段と、前記画像検出手段によって検出された放射線画像を処理する画像処理手段と、を備える放射線撮像装置における画像処理方法であって、
放射線の非照射期間において前記画像検出手段によって連続して取得される複数の無曝射画像に基づいて、前記複数の無曝射画像を取得した後の任意のタイミングで取得される放射線画像に対する補正用画像を生成する補正用画像生成工程と、
前記補正用画像を用いて前記放射線画像を補正する補正工程と、を有し、
前記補正用画像生成工程は、
前記複数の無曝射画像における各放射線検出素子ごとの信号強度の時間変化に対して非線形近似を行い、該非線形近似により得られた近似式の決定係数に応じて、補正用画像の生成方法を切り替えることを特徴とする画像処理方法。
【請求項１２】
被写体を透過した放射線の線量に応じて電荷を発生させる複数の放射線検出素子を有する画像検出手段と、前記画像検出手段によって検出された放射線画像を処理する画像処理手段と、を備える放射線撮像装置であって、
前記画像処理手段は、
放射線の非照射期間において前記画像検出手段によって連続して取得される複数の無曝射画像に基づいて、前記複数の無曝射画像を取得した後の任意のタイミングで取得される放射線画像に対する補正用画像を生成する補正用画像生成手段と、
前記補正用画像を用いて前記放射線画像を補正する補正手段と、を有し、
前記補正用画像生成手段は、
前記複数の無曝射画像の画素毎の輝度値の時間変化に対して非線形近似を行い、該非線形近似により得られた近似式の決定係数に応じて、補正用画像の生成方法を切り替えることを特徴とする放射線撮像装置。
【請求項１３】
被写体を透過した放射線の線量に応じて電荷を発生させる複数の放射線検出素子を有する画像検出手段と、前記画像検出手段によって検出された放射線画像を処理する画像処理手段と、を備える放射線撮像装置における画像処理方法であって、
放射線の非照射期間において前記画像検出手段によって連続して取得される複数の無曝射画像に基づいて、前記複数の無曝射画像を取得した後の任意のタイミングで取得される放射線画像に対する補正用画像を生成する補正用画像生成工程と、
前記補正用画像を用いて前記放射線画像を補正する補正工程と、を有し、
前記補正用画像生成工程は、
前記複数の無曝射画像の画素毎の輝度値の時間変化に対して非線形近似を行い、該非線形近似により得られた近似式の決定係数に応じて、補正用画像の生成方法を切り替えることを特徴とする画像処理方法。
【請求項１４】
放射線画像処理装置であって、
第一の放射線撮影で複数の画素を備える放射線検出器から読出される放射線画像信号と、該放射線画像信号の読出しに引き続き前記放射線検出器から繰り返し読出される前記画  素の蓄積電荷に対応する電気信号を取得する取得手段と、
前記取得される電気信号の時間変化に基づいて、前記電気信号の読み出しに引き続いて行われる第二の放射線撮影で前記放射線検出器から読出されるその他の放射線画像信号の補正を行うか否かを判定する判定手段と、
前記判定結果と、前記取得される電気信号の前記時間変化に基づいて前記第一の放射線撮影の後に取得された無曝射画像に基づいて、前記その他の放射線画像信号を補正する補正手段と、
を備えることを特徴とする放射線画像処理装置。
【請求項１５】
前記判定手段により前記時間変化に基づいて補正を行うと判定された場合には、前記補正手段は、前記時間変化に基づいて前記その他の放射線画像信号を補正し、
前記判定手段により前記時間変化に基づいて補正を行わないと判定された場合には、前記補正手段は、前記第二の放射線撮影前に得られた無曝射画像に基づいて前記その他の放射線画像信号を補正することを特徴とする請求項１４に記載の放射線画像処理装置。
【請求項１６】
放射線画像処理装置の画像処理方法であって、
第一の放射線撮影で複数の画素を備える放射線検出器から読出される放射線画像信号と、該放射線画像信号の読出しに引き続き前記放射線検出器から繰り返し読出される前記画  素の蓄積電荷に対応する電気信号を取得する取得工程と、
前記取得される電気信号の時間変化に基づいて、前記電気信号の読み出しに引き続いて行われる第二の放射線撮影で前記放射線検出器から読出されるその他の放射線画像信号の補正を行うか否かを判定する判定工程と、
前記判定結果と、前記取得される電気信号の前記時間変化に基づいて前記第一の放射線撮影の後に取得された無曝射画像に基づいて、前記その他の放射線画像信号を補正する補正工程と、
を備えることを特徴とする画像処理方法。
【請求項１７】
コンピュータを、請求項１乃至１０および１２のいずれか１項に記載の放射線撮像装置の各手段として機能させるためのプログラム。
【請求項１８】
コンピュータを、請求項１４に記載の放射線画像処理装置の各手段として機能させるためのプログラム。